(57)【要約】【課題】浴室換気装置のファンが動作している状態において、その動作が浴室換気運転によるものなのか、トイレ換気運転によるものか、の判別が容易にできる浴室換気装置を提供することにある。【解決手段】浴室又は他室の少なくとも一方の換気を行う浴室換気装置であって、前記他室の空気を吸い込む吸込口と、前記吸込口から吸い込まれた空気の少なくとも一部を外部へ排出する排出流路と、前記吸込口から吸い込まれた空気に流れを発生させるファンと、前記他室からの入力信号に基づき前記ファンを駆動させる制御部と、前記他室からの入力信号に基づき前記ファンが駆動していることを使用者に報知する報知手段と、を備えることを特徴とする。【選択図】図１
2015068515.tif 000002
【特許請求の範囲】
【請求項１】
浴室又は他室の少なくとも一方の換気を行う浴室換気装置であって、
前記他室の空気を吸い込む吸込口と、
前記吸込口から吸い込まれた空気の少なくとも一部を外部へ排出する排出流路と、
前記吸込口から吸い込まれた空気に流れを発生させるファンと、
前記他室からの入力信号に基づき前記ファンを駆動させる制御部と、
前記他室からの入力信号に基づき前記ファンが駆動していることを使用者に報知する報知手段と、を備えることを特徴とする浴室換気装置。
【請求項２】
前記報知手段は、換気運転を操作する操作部を有するコントローラに設けられることを特徴とする請求項１に記載の換気装置。
【請求項３】
前記コントローラには、前記ファンが駆動していることを表示する表示部が設けられることを特徴とする請求項２に記載の換気装置。
【請求項４】
前記表示部には、前記ファンが駆動する残時間を表示することを特徴とする請求項３に記載の換気装置。
【請求項５】
前記コントローラに対して裏操作指示を行うことで、前記裏操作指示に基づき前記表示部に前記ファンが駆動していることを表示することを特徴とする請求項３又は請求項４の何れか１項に記載の換気装置。
【請求項６】
前記裏操作指示に基づき前記表示部に表示される前記ファンが駆動していることは、前記表示部に表示されて所定時間が経過後に消えることを特徴とする請求項５に記載の換気装置。
【発明の詳細な説明】
【技術分野】
【０００１】
本発明の態様は、一般的に、浴室の換気を行う換気装置に関する。
【背景技術】
【０００２】
例えば、浴室の換気を行う換気装置として、浴室の空気を吸引して室外へと排出するものが知られている。特にマンションの浴室に設置される換気装置は、洗面所やトイレなど、浴室以外の空間も換気することができるものが知られている。このような換気装置を操作する操作部としては、洗面所内に設置されるコントローラに加え、例えばトイレの出入口近傍に設置されるトイレ換気用スイッチがある。
【０００３】
トイレ換気用スイッチがＯＮされると、トイレの換気量を大きくするトイレ換気運転が行なわれる。また、トイレ換気用スイッチをＯＦＦにした後も、一定の時間はトイレ換気運転を継続できるようにしたトイレ換気遅れタイマー機能を搭載した換気装置も知られている。また、常にファンを動作させて、浴室、洗面所、トイレから吸気することにより居室全体を常時低風量で換気する２４時間換気運転機能を備えた換気装置も知られている。
【先行技術文献】
【特許文献】
【０００４】
【特許文献１】特開２００１−３１７７８９号公報
【発明の概要】
【発明が解決しようとする課題】
【０００５】
従来のトイレ換気遅れタイマー機能を搭載した浴室換気装置では、トイレ換気遅れタイマー運転中であることを報知する手段が搭載されていないため、浴室換気装置のファンが動作しているときにおいて、それがトイレ遅れタイマー運転によるものか否かを判断することができなかった。
【０００６】
このため、浴室換気装置の現在の動作状況の判別が難しく、浴室換気装置を設置した施工業者や、使用する者や、メンテナンスをする者などが、浴室換気装置の配線確認又は故障診断等を行うときにおいて、その診断作業を困難にするものとなっていた。
【０００７】
本発明は、このような課題に鑑みてなされたものであり、その目的は、浴室換気装置のファンが動作している状態において、その動作が浴室換気運転によるものなのか、トイレ換気運転によるものか、の判別が容易にできる浴室換気装置を提供することにある。
【課題を解決するための手段】
【０００８】
上記課題を解決するために本発明に係る浴室換気装置は、浴室又は他室の少なくとも一方の換気を行う浴室換気装置であって、前記他室の空気を吸い込む吸込口と、前記吸込口から吸い込まれた空気の少なくとも一部を外部へ排出する排出流路と、前記吸込口から吸い込まれた空気に流れを発生させるファンと、前記他室からの入力信号に基づき前記ファンを駆動させる制御部と、前記他室からの入力信号に基づき前記ファンが駆動していることを使用者に報知する報知手段と、を備えることを特徴とする。
【０００９】
本発明の浴室換気装置では、浴室換気装置のファンが動作しているときにおいて、その動作がトイレ換気遅れタイマー運転によるものかを使用者が容易に判別できるようになるので、浴室換気装置の動作状況が把握しやすい浴室換気装置を提供することができる。ここで、「使用者」については、浴室換気装置を使用する者だけでなく、例えば、浴室換気装置の施工作業やメンテナンスを行う者も含むとする。
【００１０】
また、本発明に係る浴室換気装置では、前記報知手段は、換気運転を操作する操作部を有するコントローラに設けられることを特徴とすることも好ましい。
【００１１】
この好ましい態様では、浴室換気装置の動作状況を確認する時に、前記報知手段が、コントローラの換気運転を操作する操作部と共に設けられているので、浴室換気装置の動作状況を簡単に把握しやすい。
【００１２】
また、本発明に係る浴室換気装置では、前記コントローラには、前記ファンが駆動していることを表示する表示部を設けられることを特徴とすることも好ましい。
【００１３】
この好ましい態様では、前記報知手段として、従来から存在する浴室換気装置のコントローラの表示部を利用するため、特別な部品などを追加することがなくなる。したがって部品コストを上げることなく前記報知手段を設けた浴室換気装置を提供することができる。
【００１４】
また、本発明に係る浴室換気装置では、前記表示部には、前記ファンが駆動する残時間を表示することを特徴とすることも好ましい。
【００１５】
この好ましい態様では、トイレ換気遅れタイマー運転があとどれくらいで終了するかの確認が容易にできるようになるので、浴室換気装置の動作状況の把握がさらに簡単となる。
【００１６】
また、本発明に係る換気装置では、前記コントローラに対して裏操作指示を行うことで、前記裏操作指示に基づき前記表示部に前記ファンが駆動していることを表示することを特徴とすることも好ましい。
【００１７】
この好ましい態様では、前記ファンの駆動していることの表示は、使用者の要求時のみに表示させ、通常の使用時には表示されないため、通常の使用時における使用者の不必要な混乱を避けることが可能で使用者の使い勝手が良い。ここで、「裏操作指示」とは、コントローラに対する通常の操作ではなく、コントローラに対する通常の操作以外の操作である。
【００１８】
また、本発明に係る換気装置では、前記裏操作指示に基づき前記表示部に表示される前記ファンが駆動していることは、前記表示部に表示されて所定時間が経過後に消えることを特徴とすることも好ましい。
【００１９】
この好ましい態様では、ファンが駆動している旨の表示を使用者が解除し忘れたとしても、所定時間が経過することによって、通常の使用状態に復帰するので、使用者の作業性を向上させることができる。
【発明の効果】
【００２０】
本発明によれば、浴室換気装置のファンが動作しているときにおいて、その動作が２４時間換気運転によるものか、トイレ換気スイッチＯＮによるものなのか、トイレ換気遅れタイマー運転によるものかを使用者が容易に判別できる。
【図面の簡単な説明】
【００２１】
【図１】本実施形態にかかる浴室換気装置を浴室に取り付けた状態を模式的に示す図である。
【図２】本実施形態にかかる浴室換気装置の要部構成を表すブロック図である。
【図３】本実施形態にかかる浴室換気装置の断面を示す断面図である。
【図４】本実施形態にかかる浴室換気装置のコントローラを示す図である。
【図５】本発明の第一の実施形態にかかる換気装置の動作の具体例を表すタイミングチャート図である。
【図６】本発明の第二の実施形態にかかる換気装置の動作の具体例を表すタイミングチャート図である。
【図７】本発明の第三の実施形態にかかる換気装置の動作の具体例を表すタイミングチャート図である。
【発明を実施するための形態】
【００２２】
以下、添付図面を参照しながら本発明の実施の形態について説明する。説明の理解を容易にするため、各図面において同一の構成要素に対しては可能な限り同一の符号を付して、重複する説明は省略する。
【００２３】
本発明の実施形態に係る浴室換気装置の浴室乾燥装置は、浴室内の空気を吸い込みヒータを経由させて浴室方向に吹き出す「暖房運転」と、浴室内の空気を吸い込みその一部はヒータを経由させて浴室方向に吹き出しながら、残りの空気は浴室外に排出する「乾燥運転」と、浴室内の空気を吸い込み浴室外に排出する「換気運転」と、を備える。
【００２４】
この浴室乾燥装置の配置態様について図１を参照しながら説明する。図１に示すように、浴室乾燥装置１００は、浴室１０の天井１１に取り付けられるものである。浴室乾燥装置１００は、浴室１０内の空気を吸い込みヒータ（図１においては明示しない）を経由させて浴室１０方向に空気を吹き出すことができる。また、浴室乾燥装置１００は、浴室１０内の空気を吸い込み、少なくともその一部をダクト１２を通して浴室外に排出することもできる。
【００２５】
上記の通り乾燥モードは、浴室１０内の空気を吸い込みその一部はヒータを経由させて浴室１０の方向に吹き出しながら、残りの空気は浴室１０外に排出する運転モードである。この乾燥モードにおいて浴室乾燥装置１００は、ヒータを経由させた空気を浴室１０の方向に吹き出すため、浴室１０内の気温は上昇する。
【００２６】
また、浴室１０から吸い込まれた空気の一部は、浴室１０内の水蒸気と共に浴室１０外に排出される。その結果、浴室１０内の湿度は効率的に低下することとなり、浴室乾燥装置１００の下方に洗濯後の衣類を吊り下げた状態で乾燥モードによる運転を行えば、浴室１０の壁面と共に衣類も短時間で乾燥させることができる。
【００２７】
本実施形態にかかる浴室乾燥装置１００は、浴室１０と浴室１０に隣接する洗面所１３
やトイレ１７などの換気も行うことができる。
【００２８】
洗面所１３内の空気は、洗面所１３の壁面または天井面に設置された洗面所吸気口１４から吸い込まれ、洗面所ダクト１５を通り、浴室空調装置１００内部に入り、ダクト１２を通して排気される。
【００２９】
トイレ１７内の空気は、トイレ１７の壁面または天井面に設置されたトイレ吸気口１８から吸い込まれ、トイレダクト１９を通り、浴室空調装置１００内部に入り、ダクト１２を通して排気される。
【００３０】
図２は、本実施形態にかかる浴室乾燥装置の要部構成を表すブロック図である。また、図３は、本実施形態の浴室乾燥装置１００の具体例を例示する模式的断面図である。図３に表したように、本具体例の浴室乾燥装置１００は、第１の筐体１０１ａと、第２の筐体１０１ｂと、内部流路１２５と、センサ１３１と、循環用ファン１３３ａと、換気用ファン１３３ｂと、ダンパ１３５と、ヒータ１３７と、排出経路１２７と、を備える。
【００３１】
内部流路１２５と、センサ１３１と、循環用ファン１３３ａと、ヒータ１３７と、は、第１の筐体１０１ａの内部に設けられている。また、換気用ファン１３３ｂと、排出経路１２７と、は、第２の筐体１０１ｂの内部に設けられている。また、ダンパ１３５は、第１の筐体１０１ａと第２の筐体１０１ｂとの接続部に設けられている。
【００３２】
第１の筐体１０１ａと第２の筐体１０１ｂとは、図示しない接続口により互いに連通している。そのため、例えば、図３に表したダンパ１３５ｂおよびダンパ１３５ｃのように、ダンパ１３５が開いている場合には、浴室吸込口１２１から吸い込まれた内部流路１２５の空気の少なくとも一部は、排出経路１２７へ流れることができる。その他の構成および構造は、図２に示した通りである。
【００３３】
ここで、浴室乾燥装置１００が「暖房運転」を実行する場合には、図３に表したダンパ１３５ａのように、ダンパ１３５は、接続口および排出経路１２７を塞いでいる。そのため、図３に表した矢印Ａ２１のように、浴室吸込口１２１から吸い込まれた内部流路１２５の空気の全てが吹出口１２３へ向かう内部流路１２５へ導かれる。そして、吹出口１２３へ向かう空気は、ヒータ１３７により暖められて温風として浴室１０の内部に送り込まれる。つまり、浴室乾燥装置１００が「暖房運転」を実行する場合には、浴室１０の内部の空気の換気は行われない。
【００３４】
また、浴室乾燥装置１００が「温風乾燥運転」および「涼風乾燥運転」を実行する場合には、図３に表したダンパ１３５ｂのように、ダンパ１３５は、接続口および排出経路１２７の一部を開放している。そのため、浴室吸込口１２１から吸い込まれた内部流路１２５の空気の一部は、排出経路１２７へ導かれ、第２の筐体１０１ｂに設けられた排気用接続口１２９を通して浴室１０の外部へ排出される。また、図３に表した矢印Ａ２１のように、浴室吸込口１２１から吸い込まれた内部流路１２５の空気の他の一部は、吹出口１２３へ向かう内部流路１２５へ導かれる。
【００３５】
浴室乾燥装置１００が「乾燥運転」を実行する場合には、浴室吸込口１２１から吸い込まれた内部流路１２５の空気の一部を換気する。「温風乾燥運転」の場合には、吹出口１２３へ向かう空気は、ヒータ１３７により暖められて温風として浴室１０の内部に送り込まれる。「涼風乾燥運転」の場合には、制御手段１１０がヒータの出力を停止し、吹出口１２３へ向かう空気は、ヒータ１３７で暖められず涼風として浴室１０の内部に送り込まれる。
【００３６】
また、浴室乾燥装置１００が「換気運転」を実行する場合には、図３に表したダンパ１３５ｃのように、ダンパ１３５は、接続口および排出経路１２７を全開としている。そのため、浴室吸込口１２１から吸い込まれた内部流路１２５の空気の全てが排出経路１２７へ導かれ、排気用接続口１２９を通して浴室１０の外部へ排出される。
【００３７】
なお、第２の筐体１０１ｂには、排気用接続口１２９と、吸気用接続口１２８と、が設けられている。前述したように、排出経路１２７へ導かれた空気は、排気用接続口１２９を通して浴室１０の外部へ排出される。また、浴室１０に隣接する洗面所１３やトイレ１７などから吸い込まれた空気は、吸気用接続口１２８を通して筐体１０１ｂの内部へ導かれ、換気用ファン１３３ｂにより排気用接続口１２９を通して浴室１０の外部へ排出される。
【００３８】
トイレ１７の内部もしくは近傍に、トイレ１７の換気を制御するトイレ換気スイッチ２０を設けている。トイレ換気スイッチ２０は電気配線等により浴室換気装置１００の制御手段１１０に接続されている。トイレ換気スイッチ２０がＯＮされると、制御手段１１０は、換気用ファン１３３ｂの回転数や、ダンパ１３５の開度などを適時変更し、トイレ１７の換気量を増加させる「トイレ換気運転」を行なう。
【００３９】
また、制御手段１１０には、トイレ換気遅れタイマー機能を設けており、トイレ換気スイッチ２０がＯＦＦとなった後、一定時間は前記「トイレ換気運転」を継続する。前記トイレ遅れタイマーの設定時間は、コントローラ２００からの操作などによって、使用者が希望する時間に変更ができるようになっている。
【００４０】
図４は本実施形態にかかる浴室乾燥装置１００のコントローラ２００を示す図である。コントローラ２００には、「暖房運転」を操作する暖房ボタン２１０、「乾燥運転」を操作する乾燥ボタン２２０、「換気運転」を操作する換気ボタン２３０、「涼風乾燥運転」のみを操作する涼風ボタン２４０、「２４時間換気運転」を操作する２４時間換気ボタン２５０および浴室乾燥装置１００の電源停止をする停止ボタン２６０が設けられている。また、コントローラ２００には、夫々の運転における運転状態などを表示する表示部２７０、夫々の運転における開始時刻や運転時間を予約するための予約ボタン２８０、＋ボタン２９０および−ボタン３００、表示部２７０の表示を切り替えるための時計ボタン３３０が設けてられている。
【００４１】
例えば、「暖房運転」を予約したい場合、まず使用者が予約ボタン２８０を一度押して表示部２７０に「暖房運転」の開始時刻を表示させる。次に＋ボタン２９０や−ボタン３００を押して「暖房運転」の開始時刻を決めた後、予約したい「暖房運転」である暖房ボタン２１０を押して「暖房運転」を設定する。その後、表示部２７０に運転時間が表示されるので、＋ボタン２９０や−ボタン３００を押して「暖房運転」の運転時間を決めた後、予約ボタン２８０を押して「暖房運転」の予約運転を確定させる。尚、「暖房運転」以外の「換気運転」、「涼風乾燥運転」においても、同様の方法によってその運転の予約運転を設定することができる。
【００４２】
「乾燥運転」を予約したい場合には、まず使用者が予約ボタン２８０を一度押して表示部２７０に「乾燥運転」の開始時刻を表示させる。次に＋ボタン２９０や−ボタン３００を押して「乾燥運転」の開始時刻を決めた後、予約したい「乾燥運転」である乾燥ボタン２２０を押して「乾燥運転」を設定する。その後、表示部２７０に運転時間が表示されるので、＋ボタン２９０や−ボタン３００を押して「乾燥運転」の運転時間を決める。所定時間が経過すると、表示部２７０に「温風乾燥運転」と「涼風乾燥運転」の時間比率が表示されるので、＋ボタン２９０や−ボタン３００を押してその時間比率を決める。そして、予約ボタン２８０を押して「暖房運転」の予約運転を確定させる。
【００４３】
図５は本発明の第一の実施形態として、「換気運転」中における表示動作の具体例を説明したタイミングチャート図である。図５に表されるように、「換気運転」において、換気用ファン１３３ｂは、浴室１０、洗面所１３、トイレ１７を同時に換気する運転を行なっている。コントローラ２００の表示部２７０には、「換気運転」の残時間表示が行なわれている（Ｓ１）。具体的には、ＡＭランプ３１０及びＰＭランプ３２０は消灯し、表示部２７０に換気運転の残時間を時刻表示にて点灯表示する。
【００４４】
この状態で、時計ボタン３３０を押す（Ｓ２）と、表示部２７０は現在時刻表示を行なう（Ｓ３）。具体的には、ＡＭランプ３１０もしくはＰＭランプ３２０のどちらかが点灯し、表示部２７０に現在時刻を１２時間表示で点灯表示する。
【００４５】
表示部２７０が現在時刻表示に切り替わった後、Ｔ１秒以内に時計ボタン３３０を押すと、トイレ換気運転状態表示に移行する（Ｓ４）。Ｓ６に示されるように、トイレ換気スイッチ２０がＯＮの場合は表示部２７０にトイレ換気スイッチがＯＮである旨の表示を行う（Ｓ７）。具体的には、ＡＭランプ３１０およびＰＭランプ３２０は消灯し、表示部２７０は「Ｏｎ」の点灯を行う。
【００４６】
また、Ｓ６に示されるように、トイレ換気スイッチ２０がＯＦＦである場合は、Ｓ８へと遷移する。Ｓ８に示されるように、トイレ換気遅れタイマーによるトイレ換気運転が行なわれている場合は、トイレ換気運転の残時間を表示部２７０に点灯表示する（Ｓ９）。具体的には、ＡＭランプ３１０およびＰＭランプ３２０が消灯し、表示部２７０はトイレ換気運転の残時間を分単位の数字で点灯表示する。
【００４７】
また、Ｓ８に示されるように、トイレ換気スイッチ２０がＯＦＦであり、かつトイレ換気遅れタイマーによるトイレ換気運転も行なっていない場合は、表示部２７０は、換気運転の残時間表示に戻る（Ｓ１１）。Ｓ１１における表示部２７０の表示内容は、Ｓ１におけるものと同一である。
【００４８】
なお、現在時刻表示（Ｓ３）の状態で時計ボタンが押されること無くＳ５に示されるようにＴ１秒経過した場合は、表示部２７０は、換気運転の残時間表示に戻る（Ｓ１１）。トイレ換気運転状態表示（Ｓ７もしくはＳ９）の状態で時計ボタンが押されること無くＳ１０に示されるようにＴ２秒経過した場合も、表示部２７０は、換気運転の残時間表示に戻る（Ｓ１１）。
【００４９】
図６は本発明の第二の実施形態として、「換気運転」中における表示動作の具体例を説明したタイミングチャート図である。図５で表された第一の実施例との相違点は、表示部２７０の表示の、現在時刻表示からトイレ換気運転状態表示へと切り替える動作を、一定時間の経過により自動で行うところである。
【００５０】
図６に表されるように、「換気運転」において、換気用ファン１３３ｂは、浴室１０、洗面所１３、トイレ１７を同時に換気する運転を行なっている。コントローラ２００の表示部２７０には、「換気運転」の残時間表示が行なわれている（Ｓ２１）。具体的には、ＡＭランプ３１０及びＰＭランプ３２０は消灯し、表示部２７０に換気運転の残時間を時刻表示にて点灯表示する。
【００５１】
この状態で、時計ボタン３３０を押す（Ｓ２２）と、表示部２７０は現在時刻表示を行なう（Ｓ２３）。具体的には、ＡＭランプ３１０もしくはＰＭランプ３２０のどちらかが点灯し、表示部２７０に現在時刻を１２時間表示で点灯表示する。
【００５２】
表示部２７０が現在時刻表示に切り替わった後、Ｓ２４に示されるようにＴ３秒経過すると、自動的にトイレ換気運転状態表示に移行する。まず、Ｓ２５に示されるように、トイレ換気スイッチ２０がＯＮの場合は表示部２７０にトイレ換気スイッチがＯＮである旨の表示を行う（Ｓ２６）。具体的には、ＡＭランプ３１０およびＰＭランプ３２０は消灯し、表示部２７０は「Ｏｎ」の点灯を行う。
【００５３】
また、Ｓ２５に示されるように、トイレ換気スイッチ２０がＯＦＦである場合は、Ｓ２７へと遷移する。Ｓ２７に示されるように、トイレ換気遅れタイマーによるトイレ換気運転が行なわれている場合は、トイレ換気運転の残時間を表示部２７０に点灯表示する（Ｓ２８）。具体的には、ＡＭランプ３１０およびＰＭランプ３２０が消灯し、表示部２７０はトイレ換気運転の残時間を分単位の数字で点灯表示する。
【００５４】
また、Ｓ２７に示されるように、トイレ換気スイッチ２０がＯＦＦであり、かつトイレ換気遅れタイマーによるトイレ換気運転も行なっていない場合は、表示部２７０は、換気運転の残時間表示に戻る（Ｓ３０）。Ｓ３０における表示部２７０の表示内容は、Ｓ２１におけるものと同一である。
【００５５】
なお、トイレ換気運転状態表示（Ｓ２６もしくはＳ２８）の状態でＳ２９に示されるようにＴ４秒経過した場合は、表示部２７０は、換気運転の残時間表示に戻る（Ｓ３０）。
【００５６】
上記の第一の実施例および第二の実施例の説明において、「換気運転」における例を示したが、「換気運転」だけでなく、「温風乾燥運転」、「涼風乾燥運転」、「暖房運転」においても「換気運転」のタイミングチャートを準用することができる。
【００５７】
図７は本発明の第三の実施形態として、「２４時間換気運転」における表示動作の具体例を説明したタイミングチャート図である。図５で表された第一の実施例との相違点は、Ｓ３１に示されるように、表示部２７０の初期の表示が、現在時刻表示となっている点である。「２４時間換気運転」においては、ファン１３３ｂは常に動作するため、「２４時間換気運転」の運転残時間というものは存在しない。したがって「２４時間換気運転」においては、表示部２７０の表示は現在時刻表示となっている。
【００５８】
図７に表されるように、「２４時間換気運転」において、換気用ファン１３３ｂは、浴室１０、洗面所１３、トイレ１７を同時に換気する運転を行なっている。コントローラ２００の表示部２７０には、現在時刻表示が行なわれている（Ｓ３１）。具体的には、ＡＭランプ３１０もしくはＰＭランプ３２０のどちらかが点灯し、表示部２７０に現在時刻を１２時間表示で点灯表示する。
【００５９】
この状態で、時計ボタン３３０を押す（Ｓ３２）と、トイレ換気運転状態表示に移行する。まず、Ｓ３３に示されるように、トイレ換気スイッチ２０がＯＮの場合は表示部２７０にトイレ換気スイッチがＯＮである旨の表示を行う（Ｓ３４）。具体的には、ＡＭランプ３１０およびＰＭランプ３２０は消灯し、表示部２７０は「Ｏｎ」の点灯を行う。
【００６０】
また、Ｓ３３に示されるように、トイレ換気スイッチ２０がＯＦＦである場合は、Ｓ３５へと遷移する。Ｓ３５に示されるように、トイレ換気遅れタイマーによるトイレ換気運転が行なわれている場合は、トイレ換気運転の残時間を表示部２７０に点灯表示する（Ｓ３６）。具体的には、ＡＭランプ３１０およびＰＭランプ３２０が消灯し、表示部２７０はトイレ換気運転の残時間を分単位の数字で点灯表示する。
【００６１】
トイレ換気運転状態表示（Ｓ３４もしくはＳ３６）の状態でＳ３７に示されるようにＴ５秒経過した場合は、表示部２７０は、現在時刻表示に戻る（Ｓ３８）。
【００６２】
上記の第三の実施形態の説明において、「２４時間換気運転」での表示部２７０の初期の状態が現在時刻表示であることとしたが、現在時刻表示とせずに、表示なしの状態、すなわちＡＭランプ３１０、ＰＭランプ３２０、表示部２７０のすべてが消灯した状態を初期の状態としてもよく、この場合は図５に表された第一の実施形態もしくは図６に表された第二の実施形態のタイミングチャートを準用することができる。
【００６３】
また、上記の実施形態の説明において、表示部２７０の表示の切り替えを時計ボタン３３０の押下により行うこととしたが、時計ボタン３３０の長押しによるものや、コントローラ２００内の複数のボタンの押下の組み合わせによるものといった、通常は操作しない「裏操作指示」によって行うようすれば、通常の使用時における使用者の不必要な混乱を避けることが可能となり、使用者の使い勝手が良くなる。
【００６４】
また、本実施形態にかかる浴室乾燥装置１００では、トイレ換気運転状態表示を使用者が解除し忘れたとしても、所定時間が経過することによって、通常の使用状態に復帰するので、使用者の作業性を向上させることができる。
【００６５】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６６】
１０  ：浴室
１１  ：天井
１２  ：ダクト
１３  ：洗面所
１４  ：洗面所吸込口
１５  ：洗面所ダクト
１７  ：トイレ
１８  ：トイレ吸込口
１９  ：トイレダクト
２０  ：トイレ換気スイッチ
１００：浴室乾燥装置
１０１ａ：第１の筐体
１０１ｂ：第２の筐体
１１０：制御手段
１２１：浴室吸込口
１２３：吹出口
１２５：内部流路
１２７：排出経路
１２８：吸気用接続口
１２９：排気用接続口
１３１：センサ
１３３：ファン
１３３ａ：循環用ファン
１３３ｂ：換気用ファン
１３５：ダンパ
１３７：ヒータ
２００：コントローラ
２１０：暖房ボタン
２２０：乾燥ボタン
２３０：換気ボタン
２４０：涼風ボタン
２５０：２４時間換気ボタン
２６０：停止ボタン
２７０：表示部
２８０：予約ボタン
２９０：＋ボタン
３００：−ボタン
３１０：ＡＭランプ
３２０：ＰＭランプ
３３０：時計ボタン
【図１】
2015068515.tif 000003
【図２】
2015068515.tif 000004
【図３】
2015068515.tif 000005
【図４】
2015068515.tif 000006
【図５】
2015068515.tif 000007
【図６】
2015068515.tif 000008
【図７】
2015068515.tif 000009